(57)【要約】【課題】  検査対象ウエハの径（サイズ）が変化した場合でも、電気的接続経路の長さを常に一定の最短長さに維持しつつ、寄生インダクタンスを最小にすることができる半導体デバイスの検査装置と検査方法を提供することを課題とする。【解決手段】  対象とするウエハの径が異なる複数種のウエハチャックプレートとコンタクトプレートを、チャックステージ上にその位置を変えて着脱自在に保持することができるようにするとともに、表面電極用プローブのコンタクト部と裏面電極用プローブのコンタクト部とを結ぶ直線に沿ってチャックステージの上面と平行に配置される長さの異なるインダクタンスキャンセルバーを複数備えてなる半導体デバイスの検査装置並びにそれを用いる検査方法を提供することによって上記課題を解決する。【選択図】  図１
2019160941.tif 000002
【特許請求の範囲】
【請求項１】
表面電極用プローブ及び裏面電極用プローブと、それら両プローブに対して相対的に移動可能なチャックステージと、それら両プローブと電気的に接続されるテスタを有し、
（１）前記チャックステージは、
（１−１）その上面に検査対象ウエハが保持される第一ウエハチャックプレートと、その上面に前記裏面電極用プローブが接触する第一コンタクトプレートを、前記チャックステージ上であって両プレートが重ならない第一位置に、着脱自在に保持するプレート保持第一手段と、
（１−２）前記第一ウエハチャックプレートよりも小径の第二ウエハチャックプレートと、前記第一コンタクトプレートよりも小径の第二コンタクトプレートを、前記チャックステージ上であって両プレートが重ならない第二位置に、着脱自在に保持するプレート保持第二手段を備え、
（１−３）前記第一位置と前記第二位置とが、前記第一位置に保持されたときの前記第一ウエハチャックプレート及び前記第一コンタクトプレートの上面の中心をそれぞれＷＰｃ１及びＣＰｃ１、前記第二位置に保持されたときの前記第二ウエハチャックプレート及び前記第二コンタクトプレートの上面の中心をそれぞれＷＰｃ２及びＣＰｃ２としたとき、ＷＰｃ２とＣＰｃ２がＷＰｃ１とＣＰｃ１を結ぶ線分上にあり、ＷＰｃ２とＣＰｃ２間の距離がＷＰｃ１とＣＰｃ１間の距離よりも短くなるように選定されており、
（２）前記表面電極用プローブは、前記第一又は第二ウエハチャックプレート上に保持される検査対象ウエハの表面電極と接触するコンタクト部を有し、
（３）前記裏面電極用プローブは、前記第一又は第二コンタクトプレートの上面と接触するコンタクト部を有し、
（４）前記第一位置又は第二位置に保持されたとき、前記第一又は第二ウエハチャックプレートの上面と、前記第一又は第二コンタクトプレートの上面とは、それぞれ電気的に導通しており、
（５）前記表面電極用プローブのコンタクト部と前記裏面電極用プローブのコンタクト部とを結ぶ直線に沿って前記チャックステージの上面と平行に配置され、前記表面電極用プローブのコンタクト部又は前記裏面電極用プローブのコンタクト部と前記テスタとの電気的接続経路の一部を構成する導電性のバーであって、前記ＷＰｃ１とＣＰｃ１間の距離に対応する長さを有する第一インダクタンスキャンセルバーと、前記ＷＰｃ２とＣＰｃ２間の距離に対応する長さを有し、前記第一インダクタンスキャンセルバーよりも短い第二インダクタンスキャンセルバーを備えている、
半導体デバイスの検査装置。
【請求項２】
前記プレート保持第一手段が、前記第一ウエハチャックプレート又は前記第一コンタクトプレートが前記第一位置に載置されたとき、前記第一ウエハチャックプレート又は前記第一コンタクトプレートの裏面と対向する前記チャックステージの上面領域内に開口するウエハチャックプレート第一吸引口又はコンタクトプレート第一吸引口と、前記ウエハチャックプレート第一吸引口又は前記コンタクトプレート第一吸引口に接続される吸引手段を含んでいる請求項１記載の半導体デバイスの検査装置。
【請求項３】
前記プレート保持第二手段が、前記第二ウエハチャックプレート又は前記第二コンタクトプレートが前記第二位置に載置されたとき、前記第二ウエハチャックプレート又は前記第二コンタクトプレートの裏面と対向する前記チャックステージの上面領域内に開口するウエハチャックプレート第二吸引口又はコンタクトプレート第二吸引口と、前記ウエハチャックプレート第二吸引口又は前記コンタクトプレート第二吸引口に接続される吸引手段を含んでいる請求項１又は２記載の半導体デバイスの検査装置。
【請求項４】
前記チャックステージが、その上面に、前記第一ウエハチャックプレートを前記第一位置に位置決めするための少なくとも２個の第一凸部又は第一凹部と、前記第二ウエハチャックプレートを前記第二位置に位置決めするための少なくとも２個の第二凸部又は第二凹部を備え、前記第一凸部又は第一凹部のうちの０個又は１個以上が前記第二凸部又は第二凹部と共通している請求項１〜３のいずれかに記載の半導体デバイス検査装置。
【請求項５】
前記チャックステージが、その上面に、前記第一コンタクトプレートを前記第一位置に位置決めするための少なくとも２個の第一凸部又は第一凹部と、前記第二コンタクトプレートを前記第二位置に位置決めするための少なくとも２個の第二凸部又は第二凹部を備え、前記第一凸部又は第一凹部のうちの０個又は１個以上が前記第二凸部又は第二凹部と共通している請求項１〜４のいずれかに記載の半導体デバイス検査装置。
【請求項６】
前記チャックステージが、その上面に、前記第一ウエハチャックプレート又は前記第二ウエハチャックプレートが前記第一位置又は第二位置に載置されたとき、前記第一ウエハチャックプレート又は前記第二ウエハチャックプレートの裏面に開口するウエハ吸着用の負圧導入口と対向する位置に開口するウエハ吸引口と、前記ウエハ吸引口に接続された吸引手段を有している請求項１〜５のいずれかに記載の半導体デバイスの検査装置。
【請求項７】
前記チャックステージが、前記第一位置に保持されている前記第一ウエハチャックプレート上に存在する検査対象ウエハの裏面と接触して前記検査対象ウエハを上下動させる第一リフトピンと、前記第二位置に保持されている前記第二ウエハチャックプレート上に存在する検査対象ウエハの裏面と接触して前記検査対象ウエハを上下動させる第二リフトピンとを有している請求項１〜６のいずれかに記載の半導体デバイスの検査装置。
【請求項８】
さらに、制御装置を備え、前記制御装置は、検査対象とされるウエハの径に関する情報の入力を受け付ける手段と、ウエハの径に関する情報と前記プレート保持第一手段又は前記プレート保持第二手段との対応関係、及び／又は、ウエハの径に関する情報と前記第一リフトピン又は前記第二リフトピンとの対応関係を記憶する記憶装置と、受け付けたウエハの径に関する情報と前記記憶されている対応関係に基づいて、前記プレート保持第一手段又は前記プレート保持第二手段のいずれか、及び／又は、前記第一リフトピン又は前記第二リフトピンのいずれかを、選択的に作動させる手段を有している請求項１〜７のいずれかに記載の半導体デバイスの検査装置。
【請求項９】
請求項１〜８のいずれかに記載の半導体デバイスの検査装置を用いて行われる半導体デバイスの検査方法であって、
次に検査されるウエハの径を認識する工程、
認識されたウエハの径に基づいて、ウエハチャックプレート及びコンタクトプレート、並びにインダクタンスキャンセルバーの交換の要否を判断する工程、
交換が要と判断されたとき、認識されたウエハの径に基づいて、第一ウエハチャックプレート及び第一コンタクトプレート、又は第二ウエハチャックプレート及び第二コンタクトプレートをチャックステージ上の第一位置又は第二位置に載置する工程、
認識されたウエハの径に基づいて、プレート保持第一手段又はプレート保持第二手段のいずれかを作動させる工程、
交換が必要と判断されたとき、認識されたウエハの径に基づいて、第一インダクタンスキャンセルバー又は第二インダクタンスキャンセルバーのいずれかを、表面電極用プローブのコンタクト部又は裏面電極用プローブのコンタクト部とテスタとの電気的接続経路中に接続する工程、
を含む半導体デバイスの検査方法。
【請求項１０】
さらに、認識されたウエハの径に基づいて、第一リフトピン又は第二リフトピンのいずれかを作動させる工程を含む、請求項９記載の半導体デバイスの検査方法。
【発明の詳細な説明】
【技術分野】
【０００１】
本発明は半導体デバイスの検査装置及び検査方法に関し、詳細には、ウエハ基板の両面に電極を備えた半導体デバイスの電気的特性をウエハ状態のままで検査する半導体デバイスの検査装置とその検査方法に関する。
【背景技術】
【０００２】
パワートランジスタ、パワーＭＯＳＦＥＴ、ＩＧＢＴ（Ｉｎｓｕｌａｔｅｄ  Ｇａｔｅ  Ｂｉｐｏｌａｒ  Ｔｒａｎｓｉｓｔｏｒ）などの電力用半導体デバイスや、ＬＥＤ、半導体レーザなどの半導体デバイスには、電流がチップの上下に流れるように構成されて、ウエハ基板の表裏両面に電極を有しているものがある。このため、このような半導体デバイスの電気的特性をウエハ状態のままで検査するには、ウエハの表裏両面に測定用プローブを接触させる必要があり、被検査対象となる半導体デバイス直下の裏面に測定用プローブを接触させるべく、種々の検査装置が提案されている。
【０００３】
例えば、特許文献１には、ウエハを保持するチャックステージ内に多数のプローブを配置し、これらのうち、被測定デバイスの裏面直下に位置するプローブを選択的にテスタへと接続することによって、ウエハ基板の両面に電極を有する半導体デバイスの電気的特性を測定するようにした検査装置が開示されている。
【０００４】
しかし、この特許文献１に開示された検査装置においては、ウエハ上に形成されている全半導体デバイスを順次検査するために、上部に配置されているプローブに対してチャックステージを移動させる必要があり、チャックステージ内に配置されたプローブとテスタとを接続するケーブルの長さが必然的に長くなる傾向にある。プローブとテスタとを接続するケーブルの長さが長くなると、ケーブルによって構成される測定経路の寄生インダクタンスが大きくなり、検査対象である半導体デバイスの実力値に近い大電流測定や動特性試験に必要な過渡特性が得られないという欠点がある。このため、ウエハ状態での検査をパスした半導体デバイスであっても、その後、ボンディング、モールディング、バーイン工程等を経た後に行われる最終的なフルスペック検査において特性不良が発見される場合があり、ウエハ状態での検査後に行われる各種工程が無駄になり、製品コストの上昇や廃棄物量の増加といった不都合を招いている。
【０００５】
一方、特許文献２、３においては、半導体デバイスを、半導体デバイスよりも大きな導電性の基台上に載置し、表面電極用のプローブを半導体デバイスの表面に接触させると同時に、裏面電極用のプローブを前記半導体デバイスが載置されていない前記基台の露出部分に接触させるようにした検査装置が開示されている。しかし、これら特許文献２、３に開示されている検査装置は、個別に存在する半導体デバイスを検査するものであって、半導体デバイスをウエハ状態のままで検査するものではなく、表裏両面に電極を有する半導体デバイスの特性をウエハ状態のままで如何に精度良く測定するかについて何らの示唆も与えるものではない。
【０００６】
上記のような状況に鑑み、本出願人は特許文献４において、半導体デバイスをウエハ状態のままで検査する装置として、チャックステージの上面に検査対象となるウエハを保持するウエハ保持部と、ウエハ保持部とほぼ同大のプローブコンタクト領域とを配置し、前記ウエハ保持部と前記プローブコンタクト領域を電気的に導通させるとともに、表面電極用プローブと裏面電極用プローブとを前記チャックステージの上方に水平方向に一定の距離を隔てて配置するようにした半導体デバイスの検査装置を提案した。
【０００７】
このような半導体デバイスの検査装置によれば、前記チャックステージを移動させて表面電極用プローブが検査対象ウエハ内を相対的に移動したときにも、裏面電極用プローブが、表面電極用プローブと前記一定の距離を維持したまま、前記プローブコンタクト領域内を相対的に移動することができるので、テスタと表面電極用プローブ及び裏面電極用プローブとの電気的接続経路の長さを常に一定の最短長さに維持することが可能となり、測定経路に発生する寄生インダクタンスを最小にして、半導体デバイスの実力値に近い大電流測定や動特性試験に必要な過渡特性を得ることができるという極めて優れた利点が得られる。
【先行技術文献】
【特許文献】
【０００８】
【特許文献１】特開平５−３３３０９８号公報
【特許文献２】特開２００７−４０９２６号公報
【特許文献３】特開２００８−１０１９４４号公報
【特許文献４】特開２０１３−１１８３２０号公報
【発明の概要】
【発明が解決しようとする課題】
【０００９】
上記のとおり、本出願人が先に特許文献４において提案した半導体デバイスの検査装置は極めて優れた利点を備えたものであり、チャックステージ上のウエハ保持部とプローブコンタクト領域とを近接して並べて配置することにより、表面電極用プローブと裏面電極用プローブとの間の電気的接続経路の長さを最短に設定していることを特徴としている。しかしながら、測定対象として想定されるウエハ径のサイズが複数種ある場合、ウエハ保持部とプローブコンタクト領域の大きさは、最大径のウエハに合わせて設定されるため、想定される最大径のウエハよりも小さい径のウエハを測定する場合で有っても、表面電極用プローブと裏面電極用プローブとの間の電気的接続経路の長さは同じであり、寄生インダクタンスも変わらないことになる。このような事態を避け、検査対象ウエハのサイズに合わせて電気的接続経路の長さが最短になるようにしようとすれば、検査対象として予定されるウエハのサイズ別に、それぞれ設計された検査装置を用意する必要があり、費用がかかるという問題がある。
【００１０】
本発明は、本出願人が先に特許文献４において提案した半導体デバイスの検査装置の使い勝手をさらに良くするために為されたもので、検査対象ウエハの径（サイズ）が変化した場合でも、テスタと表面電極用プローブ及び裏面電極用プローブとの電気的接続経路の長さを常に一定の最短長さに維持しつつ、測定経路に発生する寄生インダクタンスを最小にすることができる半導体デバイスの検査装置とそれを用いる検査方法を提供することを課題とするものである。
【課題を解決するための手段】
【００１１】
本発明者らは、上記の課題を解決すべく鋭意研究を重ねた結果、前記特許文献４に開示した半導体デバイスの検査装置において、チャックステージ上に設定されているウエハ保持部の大きさに比べて比較的小径のウエハを検査対象としたときに、それに合わせて電気的接続経路を短くして寄生インダクタンスを低減することを困難にしているのは、チャックステージ上に設定されているウエハ保持部とプローブコンタクト領域の大きさと位置が固定的であることに原因があるのではないかと推測するに至った。
【００１２】
すなわち、図１８は特許文献４に開示された半導体デバイスの検査装置におけるチャックステージとその周辺部だけを取り出して示す平面図、図１９は表面電極用プローブ及び裏面電極用プローブとチャックステージとの関係を示す平面図であるが、図１８及び図１９に示すとおり、ウエハ保持部αとプローブコンタクト領域βとは、チャックステージ１０２の上面の一定位置に一定の大きさで設定されており、表面電極用プローブＰＡのコンタクト部と裏面電極用プローブＰＢのコンタクト部との距離Ｄは、前記ウエハ保持部αとプローブコンタクト領域βとの位置関係に合わせて、前記ウエハ保持部αとプローブコンタクト領域βの中心間の距離Ｌと略同じになるように設定されている。
【００１３】
このため、検査対象とするウエハＷのサイズ、すなわち径が大きく、その大きさがウエハ保持部αとほぼ同じである場合には、図２０に示すとおり、表面電極用プローブＰＡのコンタクト部と裏面電極用プローブＰＢのコンタクト部との距離Ｄは、この半導体デバイスの検査装置において許容される最小の長さとなっているが、例えば図２１に示すように、検査対象とするウエハＷの径が小さくなっても、表面電極用プローブＰＡのコンタクト部と裏面電極用プローブＰＢのコンタクト部との距離Ｄは変わらないため、想定されている最大のウエハサイズ径で決まる寄生インダクタンスが発生してしまうのではないかと考えられる。
【００１４】
このような知見に基づき、さらに研究努力を重ねた結果、本発明者らは、チャックステージ上にウエハ保持部とプローブコンタクト領域とを固定的に設定するのではなく、ウエハ保持部として機能するウエハチャックプレートと、プローブコンタクト領域として機能するコンタクトプレートなるものを創造し、これらを検査対象とするウエハサイズに合わせて複数組用意するとともに、チャックステージ上に位置を変えて着脱自在に保持させる機構とすることによって、検査対象とするウエハ径が変わった場合にも、測定経路に発生する寄生インダクタンスを常に最小にすることができることを見出した。
【００１５】
すなわち、本発明は、表面電極用プローブ及び裏面電極用プローブと、それら両プローブに対して相対的に移動可能なチャックステージと、それら両プローブと電気的に接続されるテスタを有する半導体デバイスの検査装置であって、
（１）前記チャックステージは、
（１−１）その上面に検査対象ウエハが保持される第一ウエハチャックプレートと、その上面に前記裏面電極用プローブが接触する第一コンタクトプレートを、前記チャックステージ上であって両プレートが重ならない第一位置に、着脱自在に保持するプレート保持第一手段と、
（１−２）前記第一ウエハチャックプレートよりも小径の第二ウエハチャックプレートと、前記第一コンタクトプレートよりも小径の第二コンタクトプレートを、前記チャックステージ上であって両プレートが重ならない第二位置に、着脱自在に保持するプレート保持第二手段を備え、
（１−３）前記第一位置と前記第二位置とが、前記第一位置に保持されたときの前記第一ウエハチャックプレート及び前記第一コンタクトプレートの上面の中心をそれぞれＷＰｃ１及びＣＰｃ１、前記第二位置に保持されたときの前記第二ウエハチャックプレート及び前記第二コンタクトプレートの上面の中心をそれぞれＷＰｃ２及びＣＰｃ２としたとき、ＷＰｃ２とＣＰｃ２がＷＰｃ１とＣＰｃ１を結ぶ線分上にあり、ＷＰｃ２とＣＰｃ２間の距離がＷＰｃ１とＣＰｃ１間の距離よりも短くなるように選定されており、
（２）前記表面電極用プローブは、前記第一又は第二ウエハチャックプレート上に保持される検査対象ウエハの表面電極と接触するコンタクト部を有し、
（３）前記裏面電極用プローブは、前記第一又は第二コンタクトプレートの上面と接触するコンタクト部を有し、
（４）前記第一位置又は第二位置に保持されたとき、前記第一又は第二ウエハチャックプレートの上面と、前記第一又は第二コンタクトプレートの上面とは、それぞれ電気的に導通しており、
（５）前記表面電極用プローブのコンタクト部と前記裏面電極用プローブのコンタクト部とを結ぶ直線に沿って前記チャックステージの上面と平行に配置され、前記表面電極用プローブのコンタクト部又は前記裏面電極用プローブのコンタクト部と前記テスタとの電気的接続経路の一部を構成する導電性のバーであって、前記ＷＰｃ１とＣＰｃ１間の距離に対応する長さを有する第一インダクタンスキャンセルバーと、前記ＷＰｃ２とＣＰｃ２間の距離に対応する長さを有し、前記第一インダクタンスキャンセルバーよりも短い第二インダクタンスキャンセルバーを備えている、
半導体デバイスの検査装置を提供することによって、上記課題を解決するものである。
【００１６】
上記のとおり、本発明の検査装置においては、検査対象となるウエハを保持するウエハチャックプレートと、裏面電極用プローブのコンタクト部が接触するコンタクトプレートが、チャックステージとは別に、検査するウエハのサイズ、すなわちウエハの径に合わせて、例えば、第一ウエハチャックプレートと第一コンタクトプレートの組、又は第二ウエハチャックプレートと第二コンタクトプレートの組として、複数組用意されている。しかも、これらウエハチャックプレートとコンタクトプレートは、チャックステージに対して、例えば、第一ウエハチャックプレートと第一コンタクトプレートは第一位置に、第二ウエハチャックプレートと第二コンタクトプレートは第二位置に、というように各組ごとにその取付位置を変えて着脱自在に保持されるように構成されている。
【００１７】
したがって、本発明の検査装置においては、検査対象となるウエハの径が変わった場合であっても、その径のウエハに適した大きさの第一ウエハチャックプレートと第一コンタクトプレート、又は第二ウエハチャックプレートと第二コンタクトプレートを、その径のウエハの検査に適したチャックステージ上の第一位置又は第二位置に保持させることができるので、ウエハチャックプレートとコンタクトプレート間の距離を検査対象ウエハの径に合わせて常に必要最低限の長さとすることができる。
【００１８】
しかも、本発明の検査装置においては、表面電極用プローブのコンタクト部と裏面電極用プローブのコンタクト部とを結ぶ直線に沿ってチャックステージの上面と平行に配置されるインダクタンスキャンセルバーに関しても、例えば、第一位置に保持されたときの第一ウエハチャックプレートと第一コンタクトプレートの中心間距離に対応した長さを有する第一インダクタンスキャンセルバーと、第二位置に保持されたときの第二ウエハチャックプレートと第二コンタクトプレートの中心間距離に対応した長さを有する第二インダクタンスキャンセルバーとして、複数用意されている。このため、本発明の検査装置においては、検査対象ウエハの径に応じて、チャックステージ上に保持させるウエハチャックプレートとコンタクトプレートとその位置を変更するのに加えて、その変更後のウエハチャックプレート及びコンタクトプレートの大きさと保持位置に合わせて、第一インダクタンスキャンセルバー又は第二インダクタンスキャンセルバーのいずれかを用いることによって、ウエハ径が変わっても、表面電極用プローブのコンタクト部又は裏面電極用プローブのコンタクト部とテスタとを結ぶ電気的接続経路の長さを常に一定の最短長さに維持し、測定経路に発生する寄生インダクタンスを常に最小に維持することができ、精度良い測定が可能になる。
【００１９】
本発明の検査装置において、第一ウエハチャックプレートと第一コンタクトプレートをチャックステージ上の第一位置に着脱自在に保持するプレート保持第一手段は、第一ウエハチャックプレートと第一コンタクトプレートを第一位置に着脱自在に保持することができれば良く、その具体的な構造や機構に特段の制限はない。しかし、保持力が比較的強く、かつ、着脱制御が比較的容易に行えるという観点からは、プレート保持第一手段は、第一ウエハチャックプレート又は第一コンタクトプレートが第一位置に載置されたとき、第一ウエハチャックプレート又は第一コンタクトプレートの裏面と対向するチャックステージの上面領域内に開口するウエハチャックプレート第一吸引口又はコンタクトプレート第一吸引口と、当該ウエハチャックプレート第一吸引口又はコンタクトプレート第一吸引口に接続される吸引手段を含んでいるのが好ましい。
【００２０】
プレート保持第一手段が、上述したウエハチャックプレート第一吸引口又はコンタクトプレート第一吸引口と、これと接続される吸引手段を含んでいる場合には、当該吸引手段の作動をオン、オフすることによって、第一ウエハチャックプレート又は第一コンタクトプレートをチャックステージ上の第一位置に保持したり、その保持を解除したりすることができる。
【００２１】
第二ウエハチャックプレート又は第二コンタクトプレートをチャックステージ上の第二位置に着脱自在に保持するプレート保持第二手段についても同様であり、第二ウエハチャックプレートと第二コンタクトプレートを第二位置に着脱自在に保持することができる限り、プレート保持第二手段の具体的な構造や機構に特段の制限はない。しかし、プレート保持第一手段について述べたと同様の理由で、プレート保持第二手段は、第二ウエハチャックプレート又は第二コンタクトプレートが第二位置に載置されたとき、第二ウエハチャックプレート又は第二コンタクトプレートの裏面と対向するチャックステージの上面領域内に開口するウエハチャックプレート第二吸引口又はコンタクトプレート第二吸引口と、当該ウエハチャックプレート第二吸引口又はコンタクトプレート第二吸引口に接続される吸引手段を含んでいるのが好ましい。
【００２２】
プレート保持第二手段が、上述したウエハチャックプレート第二吸引口又はコンタクトプレート第二吸引口と、これと接続される吸引手段を含んでいる場合には、当該吸引手段の動作をオン、オフすることによって、第二ウエハチャックプレート又は第二コンタクトプレートをチャックステージ上の第二位置に保持したり、その保持を解除したりすることができる。
【００２３】
なお、チャックステージの上面と接する第一及び第二のウエハチャックプレート、及び第一及び第二のコンタクトプレートの裏面は平坦であっても良いが、吸引による第一位置又は第二位置での保持をより確実なものとするためには、各プレートの裏面には、各プレートが上記第一位置又は第二位置に載置されたとき、チャックステージの上面に開口する上記第一又は第二吸引口と少なくとも一箇所で連通し、各プレートの裏面内で閉じている有底の溝が設けられているのが望ましい。なお、各プレートの裏面内で閉じているとは、裏面に設けられている溝が裏面以外の部分で外に連通していないことを意味する。
【００２４】
或いは、第一及び第二のウエハチャックプレート、第一及び第二のコンタクトプレートの裏面に上述した溝を設ける代わりに、各プレートを第一位置又は第二位置に載置したとき、それぞれのプレートの裏面で覆われるチャックステージの上面領域内に、上記第一又は第二吸引口と少なくとも一箇所で連通し、チャックステージの上面内で閉じている有底の溝を設けるようにしても良い。さらには、第一及び第二のウエハチャックプレートに関しては、チャックステージの上面に上記溝を設け、第一及び第二のコンタクトプレートに関しては、各コンタクトプレートの裏面に上記溝を設けるようにしても良い。
【００２５】
さらに、本発明の検査装置は、その好適な一例において、チャックステージが、その上面に、第一ウエハチャックプレートを第一位置に位置決めするための少なくとも２個の第一凸部又は第一凹部と、第二ウエハチャックプレートを第二位置に位置決めするための少なくとも２個の第二凸部又は第二凹部を備えているのが望ましい。本発明の検査装置におけるチャックステージが、このような位置決め用の凸部又は凹部を有している場合には、第一ウエハチャックプレート又は第二ウエハチャックプレートをチャックステージ上に載置するにあたり、容易に第一位置又は第二位置に位置決めすることができるという利点が得られる。
【００２６】
前記第一凸部又は第一凹部と前記第二凸部又は第二凹部とは、全く別に、それぞれ設けられていても良いし、第一凸部又は第一凹部のうちの１個以上が第二凸部又は第二凹部を兼ね、１個以上の共通する凸部又は凹部を有していても良い。このことは、以下に述べる第一コンタクトプレートを第一位置に位置決めするための第一凸部又は第一凹部、及び第二コンタクトプレートを第二位置に位置決めするための第二凸部又は第二凹部についても同様である。
【００２７】
なお、チャックステージが上記のような位置決め用の凸部又は凹部を有している場合、この凸部又は凹部を利用して所定位置に位置決めされる第一ウエハチャックプレート及び第二ウエハチャックプレートの裏面には、位置決め時、上記凸部又は凹部と嵌合する凹部又は凸部が設けられていることはいうまでもない。
【００２８】
さらに、本発明の検査装置は、その好適な一例において、チャックステージが、その上面に、第一コンタクトプレートを第一位置に位置決めするための少なくとも２個の第一凸部又は第一凹部と、第二コンタクトプレートを第二位置に位置決めするための少なくとも２個の第二凸部又は第二凹部を備えているのが望ましい。本発明の検査装置におけるチャックステージが、このような位置決め用の凸部又は凹部を有している場合には、第一コンタクトプレート又は第二コンタクトプレートをチャックステージ上に載置するにあたり、容易に第一位置又は第二位置に位置決めすることができるという利点が得られる。
【００２９】
第一又は第二ウエハチャックプレートについて述べたと同様に、チャックステージが上記のような位置決め用の凸部又は凹部を有している場合、この凸部又は凹部を利用して所定位置に位置決めされる第一コンタクトプレート及び第二コンタクトプレートの裏面には、位置決め時、上記凸部又は凹部と嵌合する凹部又は凸部が設けられていることはいうまでもない。
【００３０】
好適なさらに他の一例において、本発明の検査装置におけるチャックステージは、その上面に、ウエハ吸引口と、当該ウエハ吸引口に接続された吸引手段を有している。ウエハ吸引口は、第一ウエハチャックプレート又は第二ウエハチャックプレートが第一位置又は第二位置に載置されたとき、第一ウエハチャックプレート又は第二ウエハチャックプレートの裏面に開口するウエハ吸着用の負圧導入口と対向する位置に開口しており、前記吸引手段を作動させてウエハ吸引口を吸引すると、その吸引負圧は、第一ウエハチャックプレート又は第二ウエハチャックプレートの裏面に開口するウエハ吸着用の負圧導入口から、各プレート内に形成されている連通路を通じて、第一ウエハチャックプレート又は第二ウエハチャックプレートの上面に開口している多数のウエハ吸着孔に供給され、その上に載置されているウエハを吸着する。
【００３１】
なお、上記ウエハ吸引口は、チャックステージ上面に、第一ウエハチャックプレート用と第二ウエハチャックプレート用に２箇設けられていても良いし、１個だけ設けておいて、第一ウエハチャックプレートを用いる場合と第二ウエハチャックプレートを用いる場合の両方で共用するようにしても良い。
【００３２】
また、本発明の検査装置は、その好適な他の一例において、チャックステージが、第一位置に保持されている第一ウエハチャックプレート上に存在する検査対象ウエハの裏面と接触して当該検査対象ウエハを上下動させる第一リフトピンと、第二位置に保持されている第二ウエハチャックプレート上に存在する検査対象ウエハの裏面と接触して当該検査対象ウエハを上下動させる第二リフトピンとを有している。
【００３３】
本発明の検査装置におけるチャックステージが上記第一リフトピンと第二リフトピンを有している場合には、第一位置に保持された第一ウエハチャックプレートを用いてウエハの検査を行う場合であっても、また、第二位置に保持された第二ウエハチャックプレートを用いてウエハの検査を行う場合であっても、ウエハ搬送装置を用いて、上昇位置にある第一又は第二リフトピン上に検査対象ウエハを載置した後、第一又は第二リフトピンを下降させて、第一又は第二のウエハチャックプレート上に検査対象ウエハを載置したり、逆に、第一又は第二リフトピンを上昇させて、検査済みのウエハを第一又は第二のウエハチャックプレートから上方に持ち上げ、ウエハ搬送装置で外部に搬出したりすることができる。
【００３４】
さらに他の好適な一例において、本発明の検査装置は制御装置を備えており、当該制御装置は、検査対象とされるウエハの径（サイズ）に関する情報の入力を受け付ける手段と、ウエハの径に関する情報とプレート保持第一手段又はプレート保持第二手段との対応関係、及び／又は、ウエハの径に関する情報と第一リフトピン又は第二リフトピンとの対応関係を記憶する記憶装置と、受け付けたウエハの径に関する情報と前記記憶されている対応関係に基づいて、プレート保持第一手段又はプレート保持第二手段のいずれか、及び／又は、第一リフトピン又は第二リフトピンのいずれかを、選択的に作動させる手段を有している。
【００３５】
本発明の検査装置が上記制御装置を備えている場合には、次に検査するウエハの径（サイズ）に関する情報を自動或いは手動で制御装置に入力することによって、必要時、プレート保持第一手段又はプレート保持第二手段、さらには、第一リフトピン又は第二リフトピンが自動的に選択され、作動するので、人手による確認や、切替操作が不要になるという利点が得られる。
【００３６】
さらに、本発明は、上記した本発明に係る半導体デバイスの検査装置を用いて行われる半導体デバイスの検査方法であって、
次に検査されるウエハの径（サイズ）を認識する工程、
認識されたウエハの径に基づいて、ウエハチャックプレート及びコンタクトプレート、並びにインダクタンスキャンセルバーの交換の要否を判断する工程、
交換が要と判断されたとき、認識されたウエハの径に基づいて、第一ウエハチャックプレート及び第一コンタクトプレート、又は第二ウエハチャックプレート及び第二コンタクトプレートをチャックステージ上の第一位置又は第二位置に載置する工程、
認識されたウエハの径に基づいて、プレート保持第一手段又はプレート保持第二手段のいずれかを作動させる工程、
交換が必要と判断されたとき、認識されたウエハの径に基づいて、第一インダクタンスキャンセルバー又は第二インダクタンスキャンセルバーのいずれかを、表面電極用プローブのコンタクト部又は裏面電極用プローブのコンタクト部とテスタとの電気的接続経路中に接続する工程、
を含む半導体デバイスの検査方法を提供することによって、上記課題を解決するものである。
【００３７】
このように、本発明の検査方法によれば、次に検査するウエハの径（サイズ）を認識し、その認識されたウエハの径に基づいて、ウエハチャックプレート及びコンタクトプレート、並びにインダクタンスキャンセルバーの交換の要否を判断して必要な交換を行うとともに、交換に付随して必要となる作動すべきプレート保持第一手段又はプレート保持第二手段の切替が行われるので、検査対象ウエハの径が変化した場合にも、表面電極用プローブのコンタクト部と裏面電極用プローブのコンタクト部との間の距離を、常に、必要最低限の長さにとどめて、測定経路に発生する寄生インダクタンスの影響を最小限に抑制しながら、ウエハ上に形成されている半導体デバイスの検査を行うことができるという利点が得られる。
【００３８】
さらに、本発明の検査方法は、その好適な一例において、認識されたウエハの径に基づいて、第一リフトピン又は第二リフトピンのいずれかを作動させる工程を含んでいる。本発明の検査方法が、斯かる工程を含む場合には、検査対象ウエハの径が変化し、第一ウエハチャックプレート又は第二ウエハチャックプレートのどちらかがチャックステージ上に保持された場合であっても、ウエハチャックプレート上への検査対象ウエハの搬入と、ウエハチャックプレート上からの検査済みウエハの搬出が確実に行われることになる。
【００３９】
なお、以上の説明では、第一ウエハチャックプレート及び第一コンタクトプレートの組と、それらよりも小径の第二ウエハチャックプレート及び第二コンタクトプレートの組の２組を備える場合について述べたが、本発明の半導体デバイス検査装置及び検査方法は、第一ウエハチャックプレート及び第一コンタクトプレートと、第二ウエハチャックプレート及び第二コンタクトプレートいう径の異なる２組のものを用いるものに限られるものではない。
【００４０】
本発明の検査装置及び検査方法は、第一ウエハチャックプレート及び第一コンタクトプレート、第二ウエハチャックプレート及び第二コンタクトプレートに加えて、さらに、第二ウエハチャックプレート及び第二コンタクトプレートよりも小径の第三ウエハチャックプレート及び第三コンタクトプレートを備えていても良く、その場合には、第一ウエハチャックプレート及び第一コンタクトプレートと第二ウエハチャックプレート及び第二コンタクトプレートとについて上述したことの全てが、第二ウエハチャックプレート及び第二コンタクトプレートと第三ウエハチャックプレート及び第三コンタクトプレートとについても当てはまることになる。第三ウエハチャックプレート及び第三コンタクトプレートよりもさらに小径の第四ウエハチャックプレート及び第四コンタクトプレートを備える場合も同様である。
【発明の効果】
【００４１】
本発明の半導体デバイスの検査装置及び検査方法によれば、検査対象となるウエハの径の違いに応じて、ウエハチャックプレート及びコンタクトプレートの径とそのチャックステージ上での位置、並びにインダクタンスキャンセルバーの長さを変化させることができるので、検査対象ウエハの径が変わっても、テスタと表面電極用プローブ及びテスタと裏面電極用プローブとの電気的接続経路の長さを常に一定の最短長さに維持して検査を行うことができる。これにより、本発明の検査装置及び検査方法によれば、測定経路に発生する寄生インダクタンスを最小にして、半導体デバイスの実力値に近い大電流測定や動特性試験に必要な過渡特性を得ることができ、ウエハ状態での半導体デバイスの検査を精度良く行うことができるという利点が得られる。
【００４２】
また、本発明の検査装置及び検査方法によれば、チャックステージの上面そのものをウエハ保持部やプローブコンタクト領域として使用するのではなく、チャックステージの上面に、ウエハ保持部として機能するウエハチャックプレート、及びプローブコンタクト領域として機能するコンタクトプレートを着脱自在に保持して使用するので、ウエハチャックプレートやコンタクトプレートが何らかの原因で汚損した場合には、これを汚損のないものと適宜交換し、常に好適な環境下でウエハ状態のままで半導体デバイスの検査を行うことができるという利点が得られる。
【図面の簡単な説明】
【００４３】
【図１】本発明の半導体デバイスの検査装置の一例を示す正面部分断面図であり、第一ウエハチャックプレート及び第一コンタクトプレートが第一位置に保持されている状態を示す図である。
【図２】図１のＸ−Ｘ’断面を上から見た平面図である。
【図３】第一ウエハチャックプレート及び第一コンタクトプレートと第一インダクタンスキャンセルバーとの関係を示す図である。
【図４】本発明の半導体デバイスの検査装置の一例を示す正面部分断面図であり、第二ウエハチャックプレート及び第二コンタクトプレートが第二位置に保持されている状態を示す図である。
【図５】図４のＸ−Ｘ’断面を上からみた平面図である。
【図６】第二ウエハチャックプレート及び第二コンタクトプレートと第二インダクタンスキャンセルバーとの関係を示す図である。
【図７】第一位置及び第二位置にあるときの第一、第二ウエハチャックプレート及び第一、第二コンタクトプレートの中心位置の関係を示す図である。
【図８】チャックステージの平面図である。
【図９】図８の部分拡大図である。
【図１０】第一ウエハチャックプレート及び第一コンタクトプレートの裏面図である。
【図１１】第二ウエハチャックプレート及び第二コンタクトプレートの裏面図である。
【図１２】チャックステージに設けられている各種吸引口とそれに接続される吸引手段、並びに第一及び第二リフトピンと、それらの動作を制御する制御装置との接続関係を示す図である。
【図１３】第一ウエハチャックプレート及び第一コンタクトプレートをチャックステージ上の第一位置に保持させた状態を示す図である。
【図１４】第一ウエハチャックプレート上に検査対象ウエハを保持させた状態を示す図である。
【図１５】プローブのコンタクト部をウエハ表面及び第一コンタクトプレート上面に接触させ、検査電流を流した状態を示す図である。
【図１６】第二ウエハチャックプレート及び第二コンタクトプレートをチャックステージ上の第二位置に保持させた状態を示す図である。
【図１７】プローブのコンタクト部をウエハ表面及び第二コンタクトプレート上面に接触させ、検査電流を流した状態を示す図である。
【図１８】従来のチャックステージとウエハ保持部及びプローブコンタクト領域の関係を示す平面図である。
【図１９】従来の表面電極用プローブ及び裏面電極用プローブとチャックステージとの関係を示す平面図である。
【図２０】従来のチャックステージを用いて比較的大径のウエハを検査するときの様子を示す平面図である。
【図２１】従来のチャックステージを用いて比較的小径のウエハを検査するときの様子を示す平面図である。
【発明を実施するための形態】
【００４４】
以下、本発明の検査装置が対象とする半導体デバイスの一例として、電力用半導体デバイスの一つであるＩＧＢＴを例に、図面を用いて本発明を説明するが、本発明の検査装置の対象がＩＧＢＴに限られないこと、また、本発明の検査装置が図示のものに限られないことは勿論である。
【００４５】
図１は、本発明の半導体デバイスの検査装置の一例を示す正面部分断面図であり、チャックステージ上のそれぞれの第一位置に第一ウエハチャックプレート及び第一コンタクトプレートを保持させた状態を示している。
【００４６】
図１において、１は本発明の半導体デバイスの検査装置であり、２はその外枠、３はチャックステージ、４はチャックステージ３をその上に載置、保持する絶縁板、５は断熱板である。絶縁板４と断熱板５との間には図示しないヒータが介挿されている。６は、チャックステージ３を絶縁板４及び断熱板５と共にＸＹＺ及びθ方向に移動させるＸＹＺ−θステージ、７は表面電極用プローブ、７Ａは表面電極用プローブ７のコンタクト部、８は裏面電極用プローブ、８Ａは裏面電極用プローブ８のコンタクト部、８Ｂは裏面電極用プローブ部８の垂直導電部、９は制御装置、１０はテスタである。
【００４７】
ＷＰ１は、チャックステージ３上の第一位置に着脱自在に保持されている第一ウエハチャックプレート、ＣＰ１は、同じくチャックステージ３上の第一位置に着脱自在に保持されている第一コンタクトプレートである。第一ウエハチャックプレートＷＰ１の厚さは、第一コンタクトプレートＣＰ１よりも薄く、第一ウエハチャックプレートＷＰ１上に後述する検査対象ウエハを載置、保持させたときに、ウエハの上面が第一コンタクトプレートＣＰ１の上面と同一平面上に位置するように選ばれている。これにより、チャックステージ３を上昇させることにより、先端の高さ位置が同じに設置されている表面電極用プローブ７のコンタクト部７Ａと裏面電極用プローブ８のコンタクト部８Ａを、ウエハ上面と第一コンタクトプレートＣＰ１上面に同時に接触させることができる。
【００４８】
ＬＣＢ１は、チャックステージ３の上方に、チャックステージ３の上面と平行に配置されている第一インダクタンスキャンセルバーである。第一インダクタンスキャンセルバーＬＣＢ１は、導電性の部材から構成されており、その前方端が裏面電極用プローブ８のコンタクト部８Ａに接続され、後方端が裏面電極用プローブ８の垂直導電部８Ｂに接続されており、コンタクト部８Ａとテスタ１０を結ぶ裏面電極用プローブ８の電気的接続経路の一部を構成している。なお、図示の例では、第一インダクタンスキャンセルバーＬＣＢ１は裏面電極用プローブ８のコンタクト部８とは別体に構成されているが、第一インダクタンスキャンセルバーＬＣＢ１としては、コンタクト部８Ａと一体的に形成されているものや、コンタクト部８Ａと予め接続されているものを用意して、それを垂直導電部８Ｂに接続するようにしてもよい。この点に関しては、後述する第二インダクタンスキャンセルバーＬＣＢ２についても同様である。また、第一又は第二のインダクタンスキャンセルバーが、表面電極用プローブ７のコンタクト部７Ａとテスタ１０を結ぶ電気的接続経路の一部を構成する場合においても同様である。
【００４９】
なお、本例の検査装置１においては、第一インダクタンスキャンセルバーＬＣＢ１は、裏面電極用プローブ８のコンタクト部８Ａと接続され、コンタクト部８Ａとテスタ１０を結ぶ裏面電極用プローブ８の電気的接続経路の一部を構成しているが、表面電極用プローブ７のコンタクト部７Ａと接続して、コンタクト部７Ａとテスタ１０を結ぶ表面電極用プローブ７の電気的接続経路の一部を構成するようにしても良い。検査装置１は、上記部材以外に、検査対象ウエハを収容するウエハカセットや、ウエハ搬送装置、アライメント用の顕微鏡や撮像装置を備えているが、これらについては図示していない。
【００５０】
図２は、図１のＸ−Ｘ’断面を上から見た平面図であり、便宜上、チャックステージ３とその上方に位置する部材だけを取り出して示してある。図２に示すとおり、チャックステージ３は、長方形の両端に半円をつなげた平面形状をしている。第一ウエハチャックプレートＷＰ１は、比較的大径の、例えば直径６インチのウエハを対象にしたウエハチャックプレートであり、その上面の平面形状は円形であり、その直径ＷＰｄ１は、対象とするウエハをその上面に載置、保持できる大きさに選ばれている。なお、ＷＰｃ１は、第一ウエハチャックプレートＷＰ１の上面の中心である。
【００５１】
第一コンタクトプレートＣＰ１は、第一ウエハチャックプレートＷＰ１と共に使用され、第一ウエハチャックプレートＷＰ１と対を為すものであり、その上面の平面形状は第一ウエハチャックプレートＷＰ１と同様に円形である。第一コンタクトプレートＣＰ１の直径ＣＰｄ１は、検査時、表面電極プローブ７のコンタクト部７Ａが第一ウエハチャックプレートＷＰ１上に保持された検査対象ウエハの上面を相対的に移動したとき、裏面電極用プローブ８のコンタクト部８Ａが第一コンタクトプレートＣＰ１上から外れてしまわないように、第一ウエハチャックプレートＷＰ１の直径ＷＰｄ１と同じであるか、それよりもやや大きく設定されている。なお、ＣＰｃ１は、第一コンタクトプレートＣＰ１の上面の中心である。
【００５２】
なお、第一ウエハチャックプレートＷＰ１及び第一コンタクトプレートＣＰ１の上面の平面形状は、検査対象となるウエハの平面形状が通常円形であるので、それに合わせて、通常、円形に選ばれているが、ウエハを保持することができるのであれば必ずしも円形に限られる訳ではなく、楕円形や、多角形状であっても良い。ただし、第一ウエハチャックプレートＷＰ１及び第一コンタクトプレートＣＰ１の上面の平面形状が円形でない場合、それぞれの上面に描くことができる最大の円の直径をもって、第一ウエハチャックプレートＷＰ１の直径ＷＰｄ１及び第一コンタクトプレートＣＰ１の直径ＣＰｄ１とするものとし、前記最大の円の中心を、第一ウエハチャックプレートＷＰ１の中心ＷＰｃ１及び第一コンタクトプレートＣＰ１の直径ＣＰｃ１とするものとする。これに関しては、後述する第二ウエハチャックプレート及び第二コンタクトプレートについても同様である。
【００５３】
図２中、Ｐｉｎｈ１は、第一リフトピンが上下動する際に通過する第一リフトピン孔である。図示しない第一リフトピンは、その頂部がチャックステージ３の上面よりも下方にある位置から、第一リフトピン孔Ｐｉｎｈ１を通過して、その頂部が第一ウエハチャックプレートＷＰ１の上面よりも上方にくる位置まで上昇したり、逆に、その頂部が第一ウエハチャックプレートＷＰ１の上面よりも上方にある位置からチャックステージ３の上面よりも下方にくる位置まで下降することにより、第一ウエハチャックプレートＷＰ１上に載置されたウエハを持ち上げたり、第一ウエハチャックプレートＷＰ１上にウエハを載置したりすることができる。
【００５４】
本例の検査装置１においては、第一ウエハチャックプレートＷＰ１及び第一コンタクトプレートＣＰ１は、共に防錆メッキ処理された銅などの導電性の材料で構成されており、かつ、チャックステージ３についても同様であるので、図１及び図２に示すように、第一ウエハチャックプレートＷＰ１及び第一コンタクトプレートＣＰ１を、その裏面をチャックプレート３の上面に当接させて、所定の第一位置に載置、保持させると、第一ウエハチャックプレートＷＰ１の上面と、第一コンタクトプレートＣＰ１の上面は、チャックステージ３を介して、電気的に導通状態となる。
【００５５】
図３は、第一ウエハチャックプレートＷＰ１及び第一コンタクトプレートＣＰ１と第一インダクタンスキャンセルバーＬＣＢ１との関係を説明するために、第一インダクタンスキャンセルバーＬＣＢ１をチャックステージ３の上からずらして示した図である。
【００５６】
図３に示すとおり、第一ウエハチャックプレートＷＰ１の中心ＷＰｃ１と第一コンタクトプレートＣＰ１の中心ＣＰｃ１との間の水平距離Ｌ１は、表面電極用プローブ７のコンタクト部７Ａの先端と裏面電極用プローブ８のコンタクト部８Ａの先端との間の水平距離Ｄ１と等しい。換言すると、第一インダクタンスキャンセルバーＬＣＢ１の長さＬＣＢｄ１は、第一ウエハチャックプレートＷＰ１と第一コンタクトプレートＣＰ１とが、チャックステージ３上の図示する第一位置に保持されたとき、両者の中心ＷＰｃ１とＣＰｃ１との間の水平距離Ｌ１に対応して、表面電極用プローブ７のコンタクト部７Ａの先端と裏面電極用プローブ８のコンタクト部８Ａの先端との間の水平距離Ｄ１がＬ１と等しくなるように選ばれている。なお、コンタクト部７Ａ及びコンタクト部８Ａの先端とは、検査時にそれぞれウエハの表面電極及び第一コンタクトプレートの上面と接触する突出した部分を意味している。
【００５７】
上記のとおり、Ｄ１＝Ｌ１となるように第一インダクタンスキャンセルバーＬＣＢ１の長さＬＣＢｄ１が選ばれているので、検査時において、表面電極用プローブ７のコンタクト部７Ａが第一ウエハチャックプレートＷＰ１上に保持された検査対象ウエハの上面内を相対的に移動すると、裏面電極用プローブ８のコンタクト部８Ａも、第一コンタクトプレートＣＰ１の上面内を、外れることなく相対的に移動することができ、表面電極用プローブ７のコンタクト部７Ａの先端と裏面電極用プローブ８のコンタクト部８Ａの先端との距離Ｄ１を、常に最短の長さに維持したまま、ウエハ上の半導体デバイスの検査を行うことができる。
【００５８】
図４は、チャックステージ３上のそれぞれの第二位置に第二ウエハチャックプレート及び第二コンタクトプレートを保持させた状態にある。図１におけると同じ部材には同じ符号を付してある。
【００５９】
図４において、ＷＰ２は、チャックステージ３上の第二位置に着脱自在に保持されている第二ウエハチャックプレート、ＣＰ２は、同じくチャックステージ３上の第二位置に着脱自在に保持されている第二コンタクトプレートである。第一ウエハチャックプレートＷＰ１について述べたと同様に、第二ウエハチャックプレートＷＰ２の厚さは、第二コンタクトプレートＣＰ２よりも薄く、第二ウエハチャックプレートＷＰ２上に後述する検査対象ウエハを載置、保持させたときに、ウエハの上面が第二コンタクトプレートＣＰ２の上面と同一平面上に位置するように選ばれている。これにより、前述したとおり、チャックステージ３を上昇させることにより、先端の高さ位置が同じに設置されている表面電極用プローブ７のコンタクト部７Ａと裏面電極用プローブ８のコンタクト部８Ａを、ウエハ上面と第二コンタクトプレートＣＰ２上面に同時に接触させることができる。
【００６０】
ＬＣＢ２は、チャックステージ３の上方に、チャックステージ３の上面と平行に配置されている第二インダクタンスキャンセルバーである。第二インダクタンスキャンセルバーＬＣＢ２は、第一インダクタンスキャンセルバーＬＣＢ１と同様に、導電性の部材から構成されており、その前方端が裏面電極用プローブ８のコンタクト部８Ａに接続され、後方端が裏面電極用プローブ８の垂直導電部８Ｂに接続されており、コンタクト部８Ａとテスタ１０を結ぶ裏面電極用プローブ８の電気的接続経路の一部を構成している。第二インダクタンスキャンセルバーＬＣＢ２を、表面電極用プローブ７のコンタクト部７Ａと接続して、コンタクト部７Ａとテスタ１０を結ぶ表面電極用プローブ７の電気的接続経路の一部を構成するようにしても良いことは、先に第一インダクタンスキャンセルバーＬＣＢ１について述べたと同様である。
【００６１】
図５は、図４のＸ−Ｘ’断面を上から見た平面図であり、便宜上、チャックステージ３とその上方に位置する部材だけを取り出して示してある。図５に見られるとおり、第二ウエハチャックプレートＷＰ２の上面の平面形状は第一ウエハチャックプレートＷＰ１と同じく円形であるが、第二ウエハチャックプレートＷＰ２は第一ウエハチャックプレートＷＰ１よりも比較的小径の、例えば直径４インチのウエハを対象にしており、その直径ＷＰｄ２は、第一ウエハチャックプレートＷＰ１の直径ＷＰｄ１よりも小さい。なお、ＷＰｃ２は、第二ウエハチャックプレートＷＰ２の上面の中心である。
【００６２】
第二コンタクトプレートＣＰ２は、第二ウエハチャックプレートＷＰ２と共に使用され、第二ウエハチャックプレートＷＰ２と対を為すものであり、その上面の平面形状は第二ウエハチャックプレートＷＰ２と同様に円形である。第二コンタクトプレートＣＰ２の直径ＣＰｄ２は、検査時、表面電極プローブ７のコンタクト部７Ａが第二ウエハチャックプレートＷＰ２上に保持された検査対象ウエハの上面を相対的に移動したとき、裏面電極用プローブ８のコンタクト部８Ａが第二コンタクトプレートＣＰ２上から外れてしまわないように、第二ウエハチャックプレートＷＰ２の直径ＷＰｄ２と同じであるか、それよりもやや大きく設定されている。なお、ＣＰｃ２は、第二コンタクトプレートＣＰ２の上面の中心である。
【００６３】
なお、第二ウエハチャックプレートＷＰ２及び第二コンタクトプレートＣＰ２の上面の平面形状は、検査対象となるウエハの平面形状が通常円形であるので、それに合わせて、通常、円形に選ばれているが、ウエハを保持することができるのであれば必ずしも円形に限られる訳ではなく、楕円形や、多角形状であっても良いことは、第一ウエハチャックプレートＷＰ１及び第一コンタクトプレートＣＰ１におけると同様である。
【００６４】
図５中、Ｐｉｎｈ２は、第二リフトピンが上下動する際に通過する第二リフトピン孔である。図示しない第二リフトピンは、その頂部がチャックステージ３の上面よりも下方にある位置から、第二リフトピン孔Ｐｉｎｈ２を通過して、その頂部が第二ウエハチャックプレートＷＰ２の上面よりも上方にくる位置まで上昇したり、逆に、その頂部が第二ウエハチャックプレートＷＰ２の上面よりも上方にある位置からチャックステージ３の上面よりも下方にくる位置まで下降することにより、第二ウエハチャックプレートＷＰ２上に載置されたウエハを持ち上げたり、第二ウエハチャックプレートＷＰ２上にウエハを載置したりすることができる。
【００６５】
１１１はチャックステージ３の上面に設けられた第一ウエハチャックプレートＰＷ１用の吸引溝、１３１はチャックステージ３の上面に開口する第一コンタクトプレートＣＰ１用のコンタクトプレート第一吸引口、１５１はチャックステージ３の上面に設けられた第一コンタクトプレートＣＰ１用の位置決め用凸部であるが、これらについては後述する。
【００６６】
第二ウエハチャックプレートＷＰ２及び第二コンタクトプレートＣＰ２は、第一ウエハチャックプレートＷＰ１及び第一コンタクトプレートＣＰ１と同様に、共に防錆メッキ処理された銅などの導電性の材料で構成されており、図４及び図５に示すように、第二ウエハチャックプレートＷＰ２及び第二コンタクトプレートＣＰ２を、その裏面をチャックプレート３の上面に当接させて、所定の第二位置に載置、保持させると、第二ウエハチャックプレートＷＰ２の上面と、第二コンタクトプレートＣＰ２の上面は、チャックステージ３を介して、電気的に導通状態となる。
【００６７】
図６は、第二ウエハチャックプレートＷＰ２及び第二コンタクトプレートＣＰ２と第二インダクタンスキャンセルバーＬＣＢ２との関係を説明するために、第二インダクタンスキャンセルバーＬＣＢ２をチャックステージ３の上からずらして示した図である。
【００６８】
図６に示すとおり、第二ウエハチャックプレートＷＰ２の中心ＷＰｃ２と第二コンタクトプレートＣＰ２の中心ＣＰｃ２との間の水平距離Ｌ２は、表面電極用プローブ７のコンタクト部７Ａの先端と裏面電極用プローブ８のコンタクト部８Ａの先端との間の水平距離Ｄ２と等しい。換言すると、第二インダクタンスキャンセルバーＬＣＢ２の長さＬＣＢｄ２は、第二ウエハチャックプレートＷＰ２と第二コンタクトプレートＣＰ２とが、チャックステージ３上の図示する第二位置に保持されたとき、両者の中心ＷＰｃ２とＣＰｃ２との間の水平距離Ｌ２に対応して、表面電極用プローブ７のコンタクト部７Ａの先端と裏面電極用プローブ８のコンタクト部８Ａの先端との間の水平距離Ｄ２がＬ２と等しくなるように選ばれている。
【００６９】
上記のとおり、Ｄ２＝Ｌ２となるように第二インダクタンスキャンセルバーＬＣＢ２の長さＬＣＢｄ２が選ばれているので、検査時において、表面電極用プローブ７のコンタクト部７Ａが第二ウエハチャックプレートＷＰ２上に保持された検査対象ウエハの上面内を相対的に移動すると、裏面電極用プローブ８のコンタクト部８Ａも、第二コンタクトプレートＣＰ２の上面内を、外れることなく相対的に移動することができ、表面電極用プローブ７のコンタクト部７Ａの先端と裏面電極用プローブ８のコンタクト部８Ａの先端との距離Ｄ２を、常に最短の長さに維持したまま、ウエハ上の半導体デバイスの検査を行うことができる。
【００７０】
図７は、図３及び図６から、第一位置に保持されたときの第一ウエハチャックプレートＷＰ１及び第一コンタクトプレートＣＰ１の中心ＷＰｃ１及びＣＰｃ１と、第二位置に保持されたときの第二ウエハチャックプレートＷＰ２及び第二コンタクトプレートＣＰ２の中心ＷＰｃ２及びＣＰｃ２だけを、チャックステージ３とともに抜き出して示す平面図である。図中、Ｖは中心ＷＰｃ１と中心ＣＰｃ１とを結ぶ線分である。なお、参考までに第一位置又は第二位置に保持されている第一、第二ウエハチャックプレートＷＰ１、ＷＰ２、及び第一、第二コンタクトプレートＣＰ１、ＣＰ２を破線で示してある。
【００７１】
図７に示すとおり、第二位置に保持されたときの第二ウエハチャックプレートＷＰ２及び第二コンタクトプレートＣＰ２の中心ＷＰｃ２及びＣＰｃ２は、第一位置に保持されたときの第一ウエハチャックプレートＷＰ１及び第一コンタクトプレートＣＰ１のそれぞれの中心ＷＰｃ１とＣＰｃ１とを結ぶ線分Ｖ上にあり、かつ、中心ＷＰｃ２とＣＰｃ２間の距離Ｌ２は、中心ＷＰｃ１とＣＰｃ１間の距離Ｌ１よりも短い。
【００７２】
このように、第一位置と第二位置とは、第二位置に保持されたときの第二ウエハチャックプレートＷＰ２の中心ＷＰｃ２と、第二コンタクトプレートＣＰ２の中心ＣＰｃ２が、第一位置に保持されたときの第一ウエハチャックプレートＷＰ１の中心ＷＰｃ１と第一コンタクトプレートＣＰ１の中心ＣＰｃ１とを結ぶ線分Ｖ上にあり、かつ、中心ＷＰｃ２と中心ＣＰｃ２間の距離Ｌ２が、中心ＷＰｃ１と中心ＣＰｃ１間の距離Ｌ１よりも短くなるように、その位置が選定されている。  
【００７３】
なお、本例においては、第一位置と第二位置とで、第一ウエハチャックプレートＷＰ１と第二ウエハチャックプレートＷＰ２の中心位置は変わらず、ＷＰｃ１とＷＰｃ２とは同じ位置にあるが、ＷＰｃ２は線分Ｖ上に位置しておれば良く、ＷＰｃ１と異なる位置にあっても良い。また、本例においては、第一位置と第二位置とで、第一コンタクトプレートＣＰ１と第二コンタクトプレートＣＰ２の中心位置が異なっており、ＣＰｃ２は、線分Ｖ上でＣＰｃ１とは異なる位置にあるが、第一位置と第二位置とで第一コンタクトプレートＣＰ１と第二コンタクトプレートＣＰ２の中心位置を同じにして、ＣＰｃ２がＣＰｃ１と同じ位置になるようにしても良い。さらには、第一位置と第二位置とで、第一ウエハチャックプレートＷＰ１と第二ウエハチャックプレートＷＰ２の中心位置、及び第一コンタクトプレートＣＰ１と第二コンタクトプレートＣＰ２の中心位置の双方を異ならせ、ＷＰｃ２とＣＰｃ２が共に線分Ｖ上で、それぞれＷＰｃ１及びＣＰｃ１と異なる位置になるようにしても良い。
【００７４】
いずれにせよ、第一インダクタンスキャンセルバーＬＣＢ１の長さＬＣＢｄ１は、第一位置における第一ウエハチャックプレートＷＰ１の中心ＷＰｃ１と第一コンタクトプレートＣＰ１の中心ＣＰｃ１との距離Ｌ１に対応し、第二インダクタンスキャンセルバーＬＣＢ２の長さＬＣＢｄ２は、第二位置における第二ウエハチャックプレートＷＰ２の中心ＷＰｃ２と第二コンタクトプレートＣＰ２の中心ＣＰｃ２との距離Ｌ２に対応しており、図７から明らかなように、Ｌ２＜Ｌ１であるので、第二インダクタンスキャンセルバーＬＣＢ２の長さＬＣＢｄ２は、第一インダクタンスキャンセルバーＬＣＢ１の長さＬＣＢｄ１よりも短い。
【００７５】
つまり、検査対象ウエハが比較的大径のもの（例えば６インチ径のもの）から比較的小径のもの（例えば４インチ径のもの）へと変わったときには、チャックステージ３上の第一位置に保持されている第一ウエハチャックプレートＷＰ１及び第一コンタクトプレートＣＰ１に代えて、それらよりも小径の第二ウエハチャックプレートＷＰ２及び第二コンタクトプレートＣＰ２を第二位置に保持させ、それとともに、第一インダクタンスキャンセルバーＬＣＢ１に代えて、それよりも短い第二インダクタンスキャンセルバーＬＣＢ２を用いることにより、裏面電極用プローブ８のコンタクト部８Ａ又は表面電極用プローブ７のコンタクト部７Ａとテスタ１０とを電気的に接続する経路の長さを、比較的大径のウエハを検査していたときのＤ１から、比較的小径のウエハを検査するときのＤ２へと短縮することができる。これにより、検査対象ウエハの径が変わっても、コンタクト部とテスタ１０とを接続する電気的経路の長さを、常に一定の最短長さに維持し、測定経路に発生する寄生インダクタンスを最小にして、ウエハ上に形成されている半導体デバイスの検査を行うことができる。検査対象ウエハが、小径のものから大径のものに変わる場合には、上記操作の逆を行えば良いことはいうまでもない。
【００７６】
図８は、チャックステージ３の平面図である。便宜上、第一位置又は第二位置にある第一及び第二ウエハチャックプレートＷＰ１、ＷＰ２、並びに第一、第二コンタクトプレートＣＰ１、ＣＰ２を破線で示してある。
【００７７】
図８に見られるとおり、チャックステージ３の上面には、第一ウエハチャックプレートＷＰ１を吸着保持するための吸引負圧を第一ウエハチャックプレートＷＰ１の裏面全周に均等に配分するための溝１１１が一重に設けられ、同じく、第二ウエハチャックプレートＷＰ２を吸着保持するための吸引負圧を第二ウエハチャックプレートＷＰ２の裏面全周に均等に配分するための溝１１２が二重に設けられている。２２１はウエハチャックプレート第一吸引口、２２２はウエハチャックプレート第二吸引口である。図８の一部分を拡大した図９に示すとおり、ウエハチャックプレート第一吸引口２２１及びウエハチャックプレート第二吸引口２２２は、それぞれ溝１１１及び溝１１２の溝底部に開口しており、それぞれの吸引口には図示しない吸引手段が接続されている。
【００７８】
溝１１１又は溝１１２は、第一ウエハチャックプレートＷＰ１又は第二ウエハチャックプレートＷＰ２を吸着保持するためのものであるので、当然のことながら、第一ウエハチャックプレートＷＰ１又は第二ウエハチャックプレートＷＰ２が第一位置又は第二位置に載置されたとき、第一ウエハチャックプレートＷＰ１又は第二ウエハチャックプレートＷＰ２の裏面と対向するチャックステージ３の上面領域内に開口しており、溝１１１又は溝１１２内に開口するウエハチャックプレート第一吸引口２２１及びウエハチャックプレート第二吸引口２２２についても同様である。なお、溝１１１又は溝１１２は、チャックステージ３の上面と、ウエハチャックプレート第一吸引口２２１又はウエハチャックプレート第二吸引口２２２以外には、外部と連通する箇所を有しておらず、チャックステージ３の上面内で閉じている溝である。
【００７９】
１２は、チャックステージ３の上面に開口するウエハ吸引口であり、ウエハ吸引口１２には図示しない吸引手段が接続されている。
【００８０】
１３１はチャックステージ３の上面に開口するコンタクトプレート第一吸引口、１３２は、同じくチャックステージ３の上面に開口するコンタクトプレート第二吸引口である。コンタクトプレート第一吸引口１３１及びコンタクトプレート第二吸引口１３２は、それぞれ第一位置又は第二位置に載置される第一コンタクトプレートＣＰ１及び第二コンタクトプレートＣＰ２を吸着保持するための負圧を供給するものであるので、当然のことながら、第一コンタクトプレートＣＰ１又は第二コンタクトプレートＣＰ２が第一位置又は第二位置に載置されたとき、第一コンタクトプレートＣＰ１又は第二コンタクトプレートＣＰ２の裏面と対向するチャックステージ３の上面領域内に開口している。
【００８１】
１４１は、第一ウエハチャックプレートＷＰ１を第一位置に位置決め載置する際に用いられる位置決め用の第一凸部であり、本例においては２個の凸部１４１、１４１がチャックステージ３の上面に設けられている。本例においては、第一ウエハチャックプレートＷＰ１用の２個の第一凸部１４１、１４１はその２個ともが、第二ウエハチャックプレートＷＰ２用を第二位置に位置決め載置する際に用いられる位置決め用の第二凸部を兼ねており、２個とも共通している。第二ウエハチャックプレートＷＰ２用の第二凸部のうち、１個又は２個以上を、第一ウエハチャックプレートＷＰ１用の第一凸部とは別に設けても良いことは勿論である。また、第一凸部又は第二凸部の数は少なくとも２個あれば良く、２個に限られない。さらに、凸部に代えて凹部としても良いこともいうまでもない。
【００８２】
１５１は、第一コンタクトプレートＣＰ１を第一位置に位置決め載置する際に用いられる位置決め用の第一凸部であり、本例においては２個の凸部１５１、１５１がチャックステージ３の上面に設けられている。一方、１５２は、第二コンタクトプレートＣＰ２を第二位置に位置決め載置する際に用いられる位置決め用の第二凸部であり、本例においては２個の第二凸部のうちの１個が第一凸部１５１を兼ねており、第一凸部１５１と第２凸部１５２とは２個のうちの１個が共通している。第二コンタクトプレートＣＰ２用の２個の第二凸部１５２の全てを第一コンタクトプレートＣＰ１用の第一凸部１５１と別に設けても良いことは勿論であり、第一凸部又は第二凸部の数も２個に限られないことはいうまでもない。さらに、凸部に代えて凹部としても良いことも勿論である。
【００８３】
図１０は、第一ウエハチャックプレートＷＰ１及び第一コンタクトプレートＣＰ１の裏面図である。図１０において、１６１は、第一ウエハチャックプレートＷＰ１がチャックステージ３上の第一位置に載置されたとき、チャックステージ３の上面に設けられているウエハ吸引口１２と対向する位置に設けられている負圧導入口である。負圧導入口１６１は、第一ウエハチャックプレートＷＰ１内に形成されている連通路を介して、第一ウエハチャックプレートＷＰ１の上面に開口している多数のウエハ吸着孔と連通しており、ウエハ吸引口１２から負圧が供給されると、その負圧を第一ウエハチャックプレートＷＰ１の上面に開口しているウエハ吸着孔へと供給し、その上にウエハを吸着する。
【００８４】
１８１は、第一コンタクトプレートＣＰ１の裏面に設けられている吸引用負圧の分配用の溝であり、第一コンタクトプレートＣＰ１がチャックステージ３上の第一位置に載置されたとき、その中央に符号１３１で示す箇所で、チャックステージ３の上面に設けられているコンタクトプレート第一吸引口１３１と対向、連通する。溝１８１は、第一コンタクトプレートＣＰ１の裏面以外では外部に連通しておらず、第一コンタクトプレートＣＰ１の裏面内で閉じている溝である。
【００８５】
１７１及び１９１は、第一ウエハチャックプレートＷＰ１又は第一コンタクトプレートＣＰ１が第一位置に載置されたとき、チャックステージ３の上面に設けられている位置決め用の第一凸部１４１及び１５１とそれぞれ嵌合する位置決め用の凹部である。
【００８６】
図１１は、第二ウエハチャックプレートＷＰ２及び第二コンタクトプレートＣＰ２の裏面図である。図１１において、１６２は、第二ウエハチャックプレートＷＰ２がチャックステージ３上の第二位置に載置されたとき、チャックステージ３の上面に設けられているウエハ吸引口１２と対向する位置に設けられている負圧導入口である。負圧導入口１６２は、第二ウエハチャックプレートＷＰ２内に形成されている連通路を介して、第二ウエハチャックプレートＷＰ２の上面に開口している多数のウエハ吸着孔と連通しており、ウエハ吸引口１２から負圧が供給されると、その負圧を第二ウエハチャックプレートＷＰ２の上面に開口しているウエハ吸着孔へと供給し、その上にウエハを吸着する。
【００８７】
１８２は、第二コンタクトプレートＣＰ２の裏面に設けられている吸引用負圧の分配用の溝であり、第二コンタクトプレートＣＰ２がチャックステージ３上の第二位置に載置されたとき、その左端に符号１３２で示す箇所で、チャックステージ３の上面に設けられているコンタクトプレート第二吸引口１３２と対向、連通する。溝１８２は、第二コンタクトプレートＣＰ２の裏面以外では外部に連通しておらず、第二コンタクトプレートＣＰ２の裏面内で閉じている溝である。
【００８８】
１７２及び１９２は、第二ウエハチャックプレートＷＰ２又は第二コンタクトプレートＣＰ２が第二位置に載置されたとき、チャックステージ３の上面に設けられている位置決め用の第二凸部１４１及び１５２とそれぞれ嵌合する位置決め用の凹部である。
【００８９】
図１２は、チャックステージ３に設けられている各種吸引口とそれに接続される吸引手段、並びに第一及び第二リフトピンと、それらの動作を制御する制御装置９との接続関係を示す図である。
【００９０】
図１２において、２０１〜２０５は開閉弁、２１１〜２１３は吸引手段であるポンプである。また、破線は管路を示している。ポンプ２１１は、チャックステージ３上に設けられている溝１１１と連通するウエハチャックプレート第一吸引口２２１と管路で接続されており、その管路の途中には開閉弁２０１が設けられている。吸引手段であるポンプ２１１は、チャックステージ３上に設けられている溝１１２と連通するウエハチャックプレート第二吸引口２２２とも管路で接続されており、その管路の途中には開閉弁２０２が設けられている。開閉弁２０１及び２０２、及びポンプ２１１の動作は、制御装置９の制御部９ａからの信号によって制御されている。
【００９１】
一方、吸引手段であるポンプ２１２は、チャックステージ３上に設けられているウエハ吸引口１２と管路で接続されており、その管路の途中には開閉弁２０３が設けられている。開閉弁２０３及びポンプ２１２の動作も、制御装置９の制御部９ａからの信号によって制御されている。
【００９２】
さらに、吸引手段であるポンプ２１３は、途中に開閉弁２０４又は開閉弁２０５が設けられている管路を介して、チャックステージ３上に開口するコンタクトプレート第一吸引口１３１及びコンタクトプレート第二吸引口１３２と接続されている。開閉弁２０４及び２０５、及びポンプ２１３の動作も、制御装置９の制御部９ａからの信号によって制御されている。
【００９３】
また、制御装置９の制御部９ａは、図示しない第一リフトピン駆動機構及び第二リフトピン駆動機構とも接続されており、第一リフトピン及び第二リフトピンの上下動を制御している。
【００９４】
制御装置９は、制御部９ａに加えて、検査対象となるウエハの径に関する情報と第一又は第二ウエハチャックプレート並びに第一又は第二コンタクトプレートとの対応関係、検査対象となるウエハの径に関する情報と作動させるべき吸引手段及び開閉弁との対応関係、及び／又は、ウエハの径に関する情報と第一リフトピン又は第二リフトピンとの対応関係を記憶する記憶装置９ｂと、ＸＹＺ−θステージ６の動作を制御するＸＹＺ−θステージ制御部９ｃと、入出力部９ｄを備えている。
【００９５】
以下、図１２〜図１７を用いて、本発明に係る検査装置の動作を説明する。なお、以下の説明では、比較的大径のウエハとして直径が６インチのウエハを、また比較的小径のウエハとして直径が４インチのウエハを検査対象とする場合を例に説明するが、これはあくまでも例であって、本発明に係る検査装置及び検査方法が対象とするウエハは６インチ径及び４インチ径のものに限られない。
【００９６】
まず、最初の検査対象ウエハとして比較的大径の６インチ径のものが予定されている場合、ヒトが目視その他の方法で対象ウエハが６インチ径のものであることを認識し、そのウエハ径又はウエハサイズに関する情報を、入出力部９ｄを介して制御装置９に入力する。或いは、外部からの信号又はウエハ径を識別するセンサによって、次に予定されているウエハのサイズを自動的に識別し、入出力部９ｄを介して自動的に制御装置９に入力するようにしても良い。
【００９７】
次に予定されているウエハのサイズが入力されると、制御装置９の制御部９ａは、現在、チャックステージ３上に保持されているウエハチャックプレート及びコンタクトプレートが第一ウエハチャックプレートＷＰ１及び第一コンタクトプレートＣＰ１であるか否かを、例えば、直前の検査で駆動させたリフトピンが第一リフトピンであるか第二リフトピンであるかの情報に基づいて識別し、ウエハチャックプレート及びコンタクトプレート、並びにインダクタンスキャンセルバーの交換の要否を判断する。なお、この判断は、ヒトが実際にチャックステージ３上に保持されているウエハチャックプレート及びコンタクトプレートの種類を目視等で識別することによって行っても良いし、変位センサや画像処理などにより、自動的に識別させても良い。
【００９８】
交換が必要であると判断されると、６インチ径のウエハに対応した第一ウエハチャックプレートＷＰ１及び第一コンタクトプレートＣＰ１が第一位置に載置される。この載置が、前述した位置決め用の第一凸部１４１、１５１を用いて行われることは勿論である。
【００９９】
第一ウエハチャックプレートＷＰ１及び第一コンタクトプレートＣＰ１の第一位置への載置が終わると、制御装置９の制御部９ａは、自動的に、或いは外部からの命令を待って、記憶装置９ｂに記憶されている検査対象となるウエハの径に関する情報と作動させるべき吸引手段及び開閉弁との対応関係に基づいて、図１２に示すポンプ２１１に動作命令を出すとともに、開閉弁２０２を閉に、開開閉弁２０１を開にして、ウエハチャックプレート第一吸引口２２１を介してチャックステージ３上に形成されている溝１１１を負圧に吸引し、第一位置に第一ウエハチャックプレートＷＰ１を吸着、保持する。
【０１００】
また、制御装置９の制御部９ａは、自動的に、或いは外部からの命令を待って、記憶装置９ｂに記憶されている検査対象となるウエハの径に関する情報と作動させるべき吸引手段及び開閉弁との対応関係に基づいて、図１２に示すポンプ２１３に動作命令を出すとともに、開閉弁２０５を閉に、開閉弁２０４を開にして、コンタクトプレート第一吸引口１３１を負圧に吸引し、チャックステージ３上の第一位置に第一コンタクトプレートＣＰ１を吸着、保持する。
【０１０１】
このように、第一ウエハチャックプレートＷＰ１に関しては、吸引手段であるポンプ２１１、開閉弁２０１、ウエハチャックプレート第一吸引口２２１、及びチャックステージ３上に形成されている溝１１１が、そして、第一コンタクトプレートＣＰ１に関しては、ポンプ２１３、開閉弁２０４、及びコンタクトプレート第一吸引口１３１が、それぞれを第一位置に着脱自在に保持するプレート保持第一手段を構成していることになる。
【０１０２】
併せて、手動若しくは自動で、裏面電極用プローブ８のコンタクト部８Ａと垂直導電部８Ｂとの間に、６インチ径のウエハに対応した第一インダクタンスキャンセルバーＬＣＢ１を接続する。なお、裏面電極用プローブ８のコンタクト部８Ａと第一インダクタンスキャンセルバーＬＣＢ１とが一体的に形成されているものや、予め接続してあるものを用意して、それを垂直導電部８Ｂに接続するようにしてもよい。
【０１０３】
図１３は、以上のようにして、チャックステージ３上の第一位置に第一ウエハチャックプレートＷＰ１と第一コンタクトプレートＣＰ１が吸着、保持され、かつ、裏面電極用プローブ８のコンタクト部８Ａと垂直導電部８Ｂとの間に第一インダクタンスキャンセルバーＬＣＢ１が接続された状態を表している。
【０１０４】
第一ウエハチャックプレートＷＰ１と第一コンタクトプレートＣＰ１の第一位置への保持と、第一インダクタンスキャンセルバーＬＣＢ１の接続が終わると、制御装置９の制御部９ａは、記憶装置９ｂに記憶されているウエハの径に関する情報と第一リフトピン又は第二リフトピンとの対応関係に基づいて、第一リフトピンを第一ウエハチャックプレートの上面よりも上方まで上昇させる。次いで、ウエハ搬送装置が作動して、検査対象となるウエハＷを第一ウエハチャックプレートＷＰ１の上まで搬送し、第一リフトピン上に載置する。第一リフトピン上にウエハＷが載置されると、制御装置９の制御部９ａは第一リフトピンを下降させ、ウエハＷを第一ウエハチャックプレートＷＰ１上に載置する。
【０１０５】
続いて、制御装置９の制御部９ａは、吸引手段であるポンプ２１２を作動させ、開閉弁２０３を開にして、ウエハ吸引口１２を負圧に吸引し、これと対向している負圧導入口１６１を介して、第一ウエハチャックプレートＷＰ１の上面に開口している多数のウエハ吸着孔を吸引し、第一ウエハチャックプレートＷＰ１上にウエハＷを吸着、保持する。図１４は、このようにして、第一ウエハチャックプレートＷＰ１上にウエハＷが吸着、保持された状態を示している。
【０１０６】
次いで、制御装置９の制御部９ａは、ＸＹＺ−θステージ制御部９ｃに命令を出して、ＸＹＺ−θステージ６を作動させ、チャックステージ３を上昇させ、図１５に示すように、表面電極用プローブ７のコンタクト部７Ａを、ウエハＷの表面電極に接触させるとともに、裏面電極用プローブ８のコンタクト部８Ａを、第一コンタクトプレートＣＰ１の上面と接触させる。この状態で、テスタ１０から検査に必要な電気信号が表面電極用プローブ７のコンタクト部７Ａを介して、ウエハＷ上の半導体デバイスに供給され、検査が行われることになる。
【０１０７】
図１５は、このようにして、ウエハＷ上の半導体デバイスの検査が行われている状態を示している。なお、検査電流は、チャックステージ３中を図中白矢印で示す方向に流れる時に、コンタクト部８Ａを通って、第一インダクタンスキャンセルバーＬＣＢ１内を図中黒矢印で示す方向に流れるが、第一インダクタンスキャンセルバーＬＣＢ１がチャックステージ３の上面と平行に配置されているので、チャックステージ３中を流れる電流によって発生される磁界と、第一インダクタンスキャンセルバーＬＣＢ１中を流れる電流によって発生される磁界とは、向きが逆になり、互いに相殺される。したがって、コンタクト部７Ａとコンタクト部８Ａとの間の電流経路における実効インダクタンスを低減することができ、より過渡特性の良い、精度の高い測定が可能になる。
【０１０８】
予定される検査対象ウエハＷの径が６インチから４インチに変化する場合にも、上記と同様に行えば良い。すなわち、次に予定されている検査対象ウエハＷの径が認識され、ウエハチャックプレートやコンタクトプレートの交換が必要であると判断されると、６インチ径のウエハに対応した第一ウエハチャックプレートＷＰ１及び第一コンタクトプレートＣＰ１に代えて、４インチ径のウエハに対応した第二ウエハチャックプレートＷＰ２及び第二コンタクトプレートＣＰ２が第二位置に載置される。
【０１０９】
第二ウエハチャックプレートＷＰ２及び第二コンタクトプレートＣＰ２の第二位置への載置が終わると、制御装置９の制御部９ａは、自動的に、或いは外部からの命令を待って、記憶装置９ｂに記憶されている検査対象となるウエハの径に関する情報と作動させるべき吸引手段及び開閉弁との対応関係に基づいて、図１２に示すポンプ２１１に動作命令を出すとともに、開閉弁２０１を閉に、開閉弁２０２を開にして、ウエハチャックプレート第二吸引口２２２を介してチャックステージ３上に形成されている溝１１２を負圧に吸引し、第二位置に第二ウエハチャックプレートＷＰ２を吸着、保持する。
【０１１０】
また、制御装置９の制御部９ａは、自動的に、或いは外部からの命令を待って、記憶装置９ｂに記憶されている検査対象となるウエハの径に関する情報と作動させるべき吸引手段及び開閉弁との対応関係に基づいて、図１２に示すポンプ２１３に動作命令を出すとともに、開閉弁２０４を閉に、開閉弁２０５を開にして、コンタクトプレート第二吸引口１３２を負圧に吸引し、チャックステージ３上の第二位置に第二コンタクトプレートＣＰ２を吸着、保持する。
【０１１１】
このように、第二ウエハチャックプレートＷＰ２に関しては、吸引手段であるポンプ２１１、開閉弁２０２、ウエハチャックプレート第二吸引口２２２、及びチャックステージ３上に形成されている溝１１２が、そして、第二コンタクトプレートＣＰ２に関しては、ポンプ２１３、開閉弁２０５、及びコンタクトプレート第一吸引口１３２が、それぞれを第二位置に着脱自在に保持するプレート保持第二手段を構成していることになる。
【０１１２】
併せて、手動若しくは自動で、裏面電極用プローブ８のコンタクト部８Ａと垂直導電部８Ｂとの間に、４インチ径のウエハに対応した第二インダクタンスキャンセルバーＬＣＢ２を接続する。
【０１１３】
図１６は、以上のようにして、チャックステージ３上の第二位置に第二ウエハチャックプレートＷＰ２と第二コンタクトプレートＣＰ２が吸着、保持され、かつ、裏面電極用プローブ８のコンタクト部８Ａと垂直導電部８Ｂとの間に第二インダクタンスキャンセルバーＬＣＢ２が接続された状態を表している。
【０１１４】
次いで、制御装置９の制御部９ａは、記憶装置９ｂに記憶されているウエハの径に関する情報と第一リフトピン又は第二リフトピンとの対応関係に基づいて、第二リフトピンを第二ウエハチャックプレートの上面よりも上方まで上昇させる。続いて、ウエハ搬送装置が作動して、検査対象となる４インチのウエハＷを第二ウエハチャックプレートＷＰ２の上まで搬送し、第二リフトピン上に載置する。第二リフトピン上にウエハＷが載置されると、制御装置９の制御部９ａは第二リフトピンを下降させ、ウエハＷを第二ウエハチャックプレートＷＰ２上に載置する。
【０１１５】
続いて、制御装置９の制御部９ａは、吸引手段であるポンプ２１２を作動させ、開閉弁２０３を開にして、ウエハ吸引口１２を負圧に吸引し、これと対向している負圧導入口１６２を介して、第二ウエハチャックプレートＷＰ２の上面に開口している多数のウエハ吸着孔を吸引し、第二ウエハチャックプレートＷＰ２上にウエハＷを吸着、保持する。
【０１１６】
次いで、制御装置９の制御部９ａは、ＸＹＺ−θステージ制御部９ｃに命令を出して、ＸＹＺ−θステージ６を作動させ、チャックステージ３を上昇させ、図１７に示すように、表面電極用プローブ７のコンタクト部７Ａを、ウエハＷの表面電極に接触させるとともに、裏面電極用プローブ８のコンタクト部８Ａを、第二コンタクトプレートＣＰ２の上面と接触させる。この状態で、テスタ１０から検査に必要な電気信号が表面電極用プローブ７のコンタクト部７Ａを介して、ウエハＷ上の半導体デバイスに供給され、検査が行われることになる。
【０１１７】
なお、この場合においても、検査電流は、図１７に示すとおり、チャックステージ３中を図中白矢印で示す方向に流れる時に、コンタクト部８Ａを通って、第二インダクタンスキャンセルバーＬＣＢ２内を図中黒矢印で示す方向に流れるが、第二インダクタンスキャンセルバーＬＣＢ２がチャックステージ３の上面と平行に配置されているので、チャックステージ３中を流れる電流によって発生される磁界と、第二インダクタンスキャンセルバーＬＣＢ２中を流れる電流によって発生される磁界とは、向きが逆になり、互いに相殺される。したがって、コンタクト部７Ａとコンタクト部８Ａとの間の電流経路における実効インダクタンスを低減することができ、より過渡特性の良い、精度の高い測定が可能になる。
【０１１８】
以上の説明では、検査対象となるウエハＷの径の大小に応じて、大径用の第一ウエハチャックプレートＷＰ１及び第一コンタクトプレートＣＰ１並びに第一インダクタンスキャンセルバーＬＣＢ１と、小径用の第二ウエハチャックプレートＷＰ２及び第二コンタクトプレートＣＰ２並びに第二インダクタンスキャンセルバーＬＣＢ２の２組を備える検査装置及び検査方法について説明したが、本発明に係る検査装置及び検査方法は、さらに、検査対象となるウエハＷの径に応じて、第三、第四のウエハチャックプレート、コンタクトプレート、並びにインダクタンスキャンセルバーを備えていても良く、それらをも包含するものである。
【０１１９】
また、以上の説明では、第一位置と第二位置とで、ウエハチャックプレートに関しては中心位置が変わらず、コンタクトプレートだけが中心位置を変更したが、第一位置と第二位置とで、コンタクトプレートに関しては中心位置が変わらず、ウエハチャックプレートだけが中心位置を変更するようにしても良く、さらには、第一位置と第二位置とで、ウエハチャックプレート及びコンタクトプレートの双方が中心位置を変更するようにしても良い。
【０１２０】
さらに、以上の説明では、チャックステージ３の上面に溝１１１、１１２を形成し、第一、第二ウエハチャックプレートＷＰ１、ＷＰ２の下面には溝を形成していないが、チャックステージ３の上面に溝を形成せずに、第一、第二ウエハチャックプレートＷＰ１、ＷＰ２の下面に溝を形成してもよい。なお、第一、第二チャックプレートＷＰ１、ＷＰ２には、負圧導入口１６１又は１６２と多数のウエハ吸着孔とをつなぐ連通路が内部に形成されているので、どちらかといえば、第一、第二ウエハチャックプレートＷＰ１、ＷＰ２の下面に溝を形成するよりも、チャックステージ３の上面に溝１１１、１１２を形成する方が、第一、第二ウエハチャックプレートＷＰ１、ＷＰ２の構造が複雑にならなくて済むので好ましい。
【０１２１】
また、以上の説明では、第一コンタクトプレートＣＰ１及び第２コンタクトプレートＣＰ２をチャックステージ３に位置決め載置するための位置決用凸部として、３つ並んだ凸部１５１、１５１、１５２うちの中央のものを共用しているが、もっとも左側（図８において最も左側でウエハチャックプレート側）の位置決用凸部１５２を共用にしてもよい。すなわち、第一コンタクトプレートＣＰ１は３つ並んだうちの左右の端部に位置する位置決用凸部で位置決めし、第２コンタクトプレートＣＰ２は中央と左側（図８における左側でウエハチャックプレート側）の位置決用凸部で固定してもよい。この場合は、第一コンタクトプレートＣＰ１を取り付ける際に、中央の位置決用凸部が第一コンタクトプレートＣＰ１の下方に来て、第一コンタクトプレートＣＰ１下面とチャックステージ３上面との接触を妨げることになるが、これを避けるためには、例えば、中央の位置決用凸部の外径より大きい内径の逃げ穴を第一コンタクトプレートＣＰ１の下面の相当する箇所に形成すると良い。
【産業上の利用可能性】
【０１２２】
以上説明したとおり、本発明の半導体デバイスの検査装置及びそれを用いる検査方法によれば、電力用半導体デバイスなどのウエハの表裏両面に電極を有する半導体デバイスに対してウエハ状態のままで行う検査において、検査対象となるウエハのサイズが変化した場合でも、それに合わせて、テスタと表面電極用プローブ及び裏面電極用プローブとの電気的接続経路の長さを常に一定の最短長さに維持しつつ、測定経路に発生する寄生インダクタンスを最小にして、精度の高い測定を行うことができるので、その産業上の利用可能性は多大である。
【符号の説明】
【０１２３】
１            検査装置
２            外枠
３            チャックステージ
４            絶縁板
５            断熱板
６            ＸＹＺ−θステージ
７            表面電極用プローブ
８            裏面電極用プローブ
９            制御装置
１０            テスタ
Ｗ            ウエハ
ＷＰ１、ＷＰ２      第一、第二ウエハチャックプレート
ＣＰ１、ＣＰ２      第一、第二コンタクトプレート
ＬＣＢ１、ＬＣＢ２      第一、第二インダクタンスキャンセルバー
【図１】
2019160941.tif 000003
【図２】
2019160941.tif 000004
【図３】
2019160941.tif 000005
【図４】
2019160941.tif 000006
【図５】
2019160941.tif 000007
【図６】
2019160941.tif 000008
【図７】
2019160941.tif 000009
【図８】
2019160941.tif 000010
【図９】
2019160941.tif 000011
【図１０】
2019160941.tif 000012
【図１１】
2019160941.tif 000013
【図１２】
2019160941.tif 000014
【図１３】
2019160941.tif 000015
【図１４】
2019160941.tif 000016
【図１５】
2019160941.tif 000017
【図１６】
2019160941.tif 000018
【図１７】
2019160941.tif 000019
【図１８】
2019160941.tif 000020
【図１９】
2019160941.tif 000021
【図２０】
2019160941.tif 000022
【図２１】
2019160941.tif 000023